(57)【要約】【課題】主幹通路と一般通路及び重量装置類設置領域との取合部を簡易に納めることができ、直交する床パネル間の目地を簡単に幅一定かつ一直線状に通して施工することができ、気密性もよい二重床構造を提案する。【解決手段】床スラブ上に立設された脚フレーム１０と、脚フレーム１０上に架設された一般通路用梁材２０と、隣り合う一般通路用梁材２０同士に架設された一般通路用床板３０と、一般通路用梁材２０に直交するように主幹通路Ｓに面する脚フレーム１０Ａ上に架設された主幹通路用梁材４０と、主幹通路用梁材４０上に架設された主幹通路用床板５０とを備え、一般通路用床板３０Ａの主幹通路Ｓに面する側面には全長にわたって第一の位置決め部材３３が設けられ、主幹通路用梁材４０のうち少なくとも重量装置類設置領域Ｇに面する領域の上面に第二の位置決め部材４２が設けられている。【選択図】      図２
2004278187.tif 000002
【特許請求の範囲】
【請求項１】
主幹通路と、これに直交配置された複数列の一般通路と、これらの一般通路の間に設置される複数列の重量装置類設置領域と、を備える室の二重床構造であって、
前記重量装置類設置領域の床スラブ上に立設された複数個の床架台と、前記一般通路の両側に位置するように、前記床架台上に架設された一般通路用梁材と、隣り合う前記一般通路用梁材同士に架設されて一般通路面を形成する複数枚の一般通路用床板と、前記一般通路用梁材に直交するように、前記主幹通路に面する前記床架台上に架設された主幹通路用梁材と、この主幹通路用梁材上に架設されて主幹通路面を形成する主幹通路用床板と、を備え、
前記一般通路用床板の前記主幹通路に面する側面には全長にわたって第一の位置決め部材が設けられ、この第一の位置決め部材が当該一般通路用床板と前記主幹通路用床板との間に介在し、
前記主幹通路用梁材のうち少なくとも前記重量装置類設置領域に面する領域の上面に第二の位置決め部材が設けられている、
ことを特徴とする二重床構造。
【請求項２】
前記一般通路用梁材の前記主幹通路に面する端面は、前記主幹通路用梁材の側面及び前記主幹通路用床板の小口側の側面に臨むように一鉛直面状に形成されている、
ことを特徴とする請求項１に記載の二重床構造。
【請求項３】
前記主幹通路用梁材の高さが前記一般通路用梁材の高さよりも前記主幹通路用床板の厚み分だけ小さい、
ことを特徴とする請求項１又は請求項２に記載の二重床構造。
【請求項４】
前記一般通路用床板はアルミニウム合金の押出形材からなり、前記第一の位置決め部材は当該一般通路用床板の側面に形成される溝に嵌合されている、
ことを特徴とする請求項１乃至請求項３のいずれか一項に記載の二重床構造。
【請求項５】
前記主幹通路用梁材はアルミニウム合金の押出形材からなり、前記第二の位置決め部材は当該主幹通路用梁材の上面に形成される溝に嵌合されている、
ことを特徴とする請求項１乃至請求項４のいずれか一項に記載の二重床構造。
【請求項６】
前記重量装置類設置領域に配設される床架台のうち前記主幹通路に面する床架台は、脚部とこれを連結する連結部と梁材支持部とよりなる概ね門形に形成され、その梁材支持部上には前記一般通路用梁材と前記主幹通路用梁材がそれぞれ直接固定されるとともに当該主幹通路用梁材は前記主幹通路の方向に連続していることを特徴とする請求項１乃至請求項５のいずれか一項に記載の二重床構造。
【発明の詳細な説明】
【０００１】
【発明の属する技術分野】
本発明は、通信機械、電算機、電話交換機、空調機等のような重量装置類が収容される室に設けられる二重床の構造に関し、より詳細には、主幹通路と一般通路及び重量装置類設置領域とが取り合う部分の二重床の構造に関する。
【０００２】
【従来の技術】
電算機、電話交換機等のような重量装置類が収容される室に設けられる二重床の構造としては、重量装置類を搭載できるよう脚部を有した床架台を直線状に床スラブ上に複数配列固定して架台列を形成し、当該架台列を所定間隔で複数並列状に設けて、当該架台列間に床パネルを架け渡したものがある（特許文献１参照）。
【０００３】
この二重床構造によれば、図８に示すように、床架台１０’を配列してなる架台列が形成された領域が重量装置類設置領域Ｇとなり、これら架台列間に架け渡された床パネル３０’の領域が一般通路Ｉとなる。また、一般通路Ｉ及び重量装置類設置領域Ｇに直交するように主幹通路Ｓが配置され、さらにこれと平行に空調機設置領域（図示せず）が配置される。
そして、空調機設置領域に設置された空調機から床下空間に向けて調和空気が吹き出され、この調和空気を利用して重量装置類設置領域Ｇに設置された通信機械等が除熱されるようになっている。
【０００４】
【特許文献１】
実公平５−４３１５４号公報（第１−２頁，第１図）
【０００５】
ここで、同図に示すように、主幹通路Ｓと重量装置類設置領域Ｇとの取合部は、床架台１０’Ａの主幹通路Ｓ側の側面に主幹通路Ｓ用の床パネル５０’を受けるためのアングル材６１をボルト留めし、このアングル材６１の上に主幹通路Ｓ用の床パネル５０’を架設するようにしてある。また、主幹通路Ｓと一般通路Ｉとの取合部は、主幹通路Ｓと一般通路Ｉとの境界線に沿うように主幹通路Ｓに面する一対の架台１０’Ａ，１０’Ａの各対向面にブラケット６２，６２を溶接ないしボルト留めし、これらのブラケット６２，６２の上に角形鋼管からなる受け梁６３を架設し、さらにこの受け梁６３の主幹通路Ｓ側の側面に主幹通路Ｓ用の床パネル５０’を受けるためのアングル材６４を溶接固定して、このアングル材６４の上に主幹通路Ｓ用の床パネル５０’を架設するようにしてある。
【０００６】
【発明が解決しようとする課題】
しかしながら、主幹通路Ｓと一般通路Ｉ及び重量装置類設置領域Ｇとの取合部をこのように納めると、以下のような問題が起こるおそれがある。
（１）主幹通路Ｓ用の床パネル５０’を受けるための納まりが、重量装置類設置領域Ｇと一般通路Ｉとで異なっていて複雑である。また、特に一般通路Ｉと主幹通路Ｓとの取合部ではブラケット６２と受け梁６３が余計に必要となるので、部品点数が多く施工手間もかかり、コストが高い。
（２）床パネル３０’，５０’の寸法を床架台間の内法寸法に正確に合わせて設計すると、床パネル３０’，５０’や床架台１０’の製造誤差、温度伸縮、施工誤差等に起因して、現場施工時に床パネル３０’，５０’が床架台１０’，１０’間に納まらなくなることがありうるため、実際には床パネル３０’，５０’の幅寸法及び長さ寸法は床架台１０’，１０’間の内法寸法より若干小さく設計してあることが多いが、この場合、特に互いに直交する床パネル３０’，５０’間の目地幅が一定になるように、かつ目地が一直線状に通るように施工するのに多大な手間を要することとなる。
（３）互いに直交する床パネル３０’，５０’間の目地幅が大きすぎると、空調機から吹き出された調和空気が床下空間から室内に多量に漏れてしまって空調効率が低下したり、床下空間に物が落ちて取れなくなってしまうことがある。
【０００７】
本発明はかかる事情に鑑みてなされたものであり、その目的とするところは、主幹通路と一般通路及び重量装置類設置領域との取合部を簡易に納めることができ、直交する床パネル間の目地を簡単に幅一定かつ一直線状に通して施工することができ、気密性もよい二重床構造を提案する点にある。
【０００８】
【課題を解決するための手段】
本発明の請求項１に係る二重床構造は、主幹通路と、これに直交配置された複数列の一般通路と、これらの一般通路の間に設置される複数列の重量装置類設置領域と、を備える室の二重床構造であって、前記重量装置類設置領域の床スラブ上に立設された複数個の床架台と、前記一般通路の両側に位置するように、前記床架台上に架設された一般通路用梁材と、隣り合う前記一般通路用梁材同士に架設されて一般通路面を形成する複数枚の一般通路用床板と、前記一般通路用梁材に直交するように、前記主幹通路に面する前記床架台上に架設された主幹通路用梁材と、この主幹通路用梁材上に架設されて主幹通路面を形成する主幹通路用床板と、を備え、前記一般通路用床板の前記主幹通路に面する側面には全長にわたって第一の位置決め部材が設けられ、この第一の位置決め部材が当該一般通路用床板と前記主幹通路用床板との間に介在し、前記主幹通路用梁材のうち少なくとも前記重量装置類設置領域に面する領域の上面に第二の位置決め部材が設けられている、ことを特徴とする。
【０００９】
かかる二重床構造では、一般通路用床板を支持している一般通路用梁材と、これに直交し、主幹通路用床板を載せている主幹通路用梁材とが共に、主幹通路に面する床架台上に共通して架設されている。したがって、主幹通路用梁材の支持固定に際して、特別のブラケットや受け梁などが一切不要となるので、部品点数の削減と施工手間の簡易化を通じて、コストを大幅に引き下げることができる。
【００１０】
また、主幹通路と一般通路との取合部においては、第一の位置決め部材が一般通路用床板と主幹通路用床板との間に介在するので、これを基準として床板を敷設していくことにより、直交する床板間の目地幅を一定に、かつ目地が一直線状に通るように、複数枚の床板を敷設していくことができる。また、第一の位置決め部材は室内と床下空間との間を遮断するので、床下空間の調和空気が室内に漏れることや、床下空間に物が落ちてしまうことを防止することができる。
また、主幹通路と重量装置類設置領域との取合部においては、主幹通路用梁材のうち少なくとも重量装置類設置領域に面する領域の上面に設けられている第二の位置決め部材が、主幹通路用床板を敷設していく際の位置決め部材として機能し、また、通信機械等を収容したラックの足元に施す適宜の気密措置と相まって、床下空間から調和空気が漏れるのを防止することもできる。
なお、第一の位置決め部材や第二の位置決め部材の材質は、金属やプラスチックであってもよいが、特に位置決め部材として機能する弾性を有する成形弾性ゴム等であることが好ましい。
【００１１】
本発明の請求項２に係る二重床構造は、請求項１に記載の二重床構造において、前記一般通路用梁材の前記主幹通路に面する端面が、前記主幹通路用梁材の側面及び前記主幹通路用床板の小口側の側面に臨むように一鉛直面状に形成されている、ことを特徴とする。
【００１２】
かかる二重床構造によれば、一般通路用梁材の主幹通路側の小口面が単純に一鉛直面状に形成され、主幹通路と取り合うための特別の仕口加工が必要ないので、更にコストを引き下げることができる。
【００１３】
本発明の請求項３に係る二重床構造は、請求項１又は請求項２に記載の二重床構造において、前記主幹通路用梁材の高さが前記一般通路用梁材の高さよりも前記主幹通路用床板の厚み分だけ小さい、ことを特徴とする。
【００１４】
かかる二重床構造によれば、主幹通路用梁材が床面に露出しない納まりとなるので、歩行時の違和感がなく、床面の見映えもよい。
【００１５】
本発明の請求項４に係る二重床構造は、請求項１乃至請求項３のいずれか一項に記載の二重床構造において、前記一般通路用床板はアルミニウム合金の押出形材からなり、前記第一の位置決め部材は当該一般通路用床板の側面に形成される溝に嵌合されている、ことを特徴とする。
【００１６】
かかる二重床構造によれば、一般通路用床板が軽量なアルミニウム合金の押出形材からなるので、施工しやすくなる。また、第一の位置決め部材が一般通路用床板の側面に形成された溝に予め嵌合されているので、第一の位置決め部材を接着剤等で後付けする手間を省くことができる。なお、一般通路用床板は押出形材からなるので、第一の位置決め部材を嵌合するための溝を簡単に形成することができる。
【００１７】
本発明の請求項５に係る二重床構造は、請求項１乃至請求項４のいずれか一項に記載の二重床構造において、前記主幹通路用梁材はアルミニウム合金の押出形材からなり、前記第二の位置決め部材は当該主幹通路用梁材の上面に形成される溝に嵌合されている、ことを特徴とする。
【００１８】
かかる二重床構造によれば、主幹通路用梁材も軽量なアルミニウム合金の押出形材からなるので、軽く施工しやすくなる。また、第二の位置決め部材が主幹通路用梁材の上面に形成された溝に予め嵌合されているので、第二の位置決め部材を接着剤等で後付けする手間を省くことができる。なお、主幹通路用梁材は押出形材からなるので、第二の位置決め部材を嵌合するための溝を簡単に形成することができる。
【００１９】
本発明の請求項６に係る二重床構造は、請求項１乃至請求項５のいずれか一項に記載の二重床構造において、前記重量装置類設置領域に配設される床架台のうち前記主幹通路に面する床架台は、脚部とこれを連結する連結部と梁材支持部とよりなる概ね門形に形成され、その梁材支持部上には前記一般通路用梁材と前記主幹通路用梁材がそれぞれ直接固定されるとともに当該主幹通路用梁材は前記主幹通路の方向に連続していることを特徴とする。
【００２０】
かかる二重床構造では、一般通路用床板を支持している一般通路用梁材と、これに直交し、主幹通路用床板を載せている主幹通路用梁材とが、同一の床架台上に架設されている。したがって、主幹通路用梁材を受けるための納まりを、一般通路との取合部と重量装置類設置領域との取合部とで異ならせる必要がなくなる。また、特に一般通路と主幹通路との取合部において、主幹通路用梁材を受けるための特別のブラケットや受け梁などが一切不要となるので、部品点数の削減と施工手間の簡易化を通じて、コストを大幅に引き下げることができる。
また、一般通路と主幹通路の交差部において、主幹通路に面する床架台の梁材支持部上で一般通路用梁材と主幹通路用梁材が同じ床架台にそれぞれ固定され交差部の仕口を形成するので、双方の梁材同士を連結する必要がなく、主幹通路用梁材はそのまま重量装置類設置領域に連続しているので、主幹通路用床板のための支持部材を別途設ける必要がない。
【００２１】
【発明の実施の形態】
以下、添付図面を参照して、本発明の実施の形態を詳細に説明する。なお、説明において、同一要素には同一符号を用い、重複する説明は省略する。
【００２２】
図１は本発明に係る二重床構造の一実施形態を表す平面図であり、図２は同一部破断斜視図である。これらの図に示すように、重量装置類設置領域Ｇの床スラブ上には、複数個の床架台たる脚フレーム１０，１０，…が立設固定されている。
【００２３】
脚フレーム１０は、図３に示すように、二本一対の脚部１１，１１と、これら脚部１１，１１を互いに連結する連結部１２と、脚部１１，１１の頂部にそれぞれ形成された梁材支持部１３，１３とで、アルミニウム合金で概ね門形に鋳造形成されている。ここで、各脚部１１の下端部にはベースプレート１４及びレベル調整ボルト１５が取り付けられており、レベル調整ボルト１５に螺合しているナットをまわすことにより、脚フレーム１０全体の高さを調整することができるようになっている。脚部１１，１１及び連結部１２には、床下空間を流通する調和空気を通過させるための開口部１８，１８，…が形成されている。また、梁材支持部１３の上面は、後記する一般通路用梁材２０が載置固定される梁材載置面１３ａとして形成されている。梁材支持部１３は、脚部１１の頂部から一般通路用梁材２０の架設方向に沿った方向の両側に張り出している。
【００２４】
図２に示すように、一般通路用梁材２０はアルミニウム合金の押出形材で形成され、軽量で施工しやすいものとなっている。この一般通路用梁材２０は、図１に示すように、脚フレーム１０，１０，…を連結するように各脚フレーム１０の梁材載置部１３ａ上にボルト等で固定されている。そして、ベースプレート１４をアンカーボルト等で床スラブに固定して脚フレーム１０，１０，…を床スラブ上に立設固定した後、各脚フレーム１０の梁材載置面１３ａ，１３ａ上に一般通路用梁材２０，２０を載置してボルト等で固定し、その後レベル調整ボルト１５に螺合しているナットをまわすことにより、一般通路用梁材２０の上面が正確に所定の高さ（床面高さ）になるように調整される。また、一般通路用梁材２０には、図１のＤ−Ｄ断面図である図７に示すように、一般通路用床板３０を載置するための段部２１（以下「載置部２１」という。）が形成されている。
【００２５】
一般通路用床板３０はアルミニウム合金の押出形材で形成され、軽量で施工しやすいものとなっている。一般通路用床板３０の両小口部（長手方向の両端部）には樹脂等で形成された小口フタが嵌め込まれている。そして、一般通路用梁材２０の載置部２１に各一般通路用床板３０の長手方向端部を載せるようにして、隣り合う一般通路用梁材２０，２０間に複数枚の一般通路用床板３０，３０，…が架設されて、一般通路Ｉの通路面が形成されている。つまり図１に示すように、各一般通路用床板３０は、その長手方向が一般通路用梁材２０に直交するように配置されており、一般通路用梁材２０，２０は一般通路Ｉの両側に位置することになる。したがって、一般通路Ｉ，Ｉ，…は重量装置類設置領域Ｇ，Ｇ，…の間に挟まれ、重量装置類設置領域Ｇ，Ｇ，…と平行になるように一般通路用床板３０の長さに等しい幅で形成される。
【００２６】
また、一般通路用床板３０，３０，…のうちの特に主幹通路Ｓに面する一般通路用床板３０Ａについては、その主幹通路Ｓ側の側面に長手方向に連続する溝３２が形成されている（図１のＡ−Ａ断面図である図４参照）。この溝３２には、当該一般通路用床板３０Ａの全長にわたって、弾性を有する成形弾性ゴムからなる第一の位置決め部材３３が嵌合されている。この第一の位置決め部材３３は接着剤等で一般通路用床板３０Ａの側面に取り付けるようにしてもよいが、一般通路用床板３０，３０Ａが押出形材であることを生かして全長にわたる溝３２を形成し、ここに第一の位置決め部材３３を予め嵌め込んでおくことにより、第一の位置決め部材３３を取り付ける手間が省け、施工が楽になる。
【００２７】
図１、図２に示すように、主幹通路Ｓは、一般通路Ｉ及び重量装置類設置領域Ｇに直交して配置されている。主幹通路Ｓは、脚フレーム１０，１０，…のうちの特に主幹通路Ｓに面した脚フレーム１０Ａ，１０Ａ，…上に連続するように架設された主幹通路用梁材４０と、空調機設置領域Ｋ側の梁材Ｋａと、これらの梁材４０，Ｋａ間に架設された主幹通路用床板５０，５０，…と、で形成されている。
【００２８】
主幹通路用梁材４０はアルミニウム合金の押出形材で形成され、軽量で施工しやすいものとなっている。主幹通路用梁材４０は、これに直交する一般通路用梁材２０とともに、脚フレーム１０，１０，…のうちの主幹通路Ｓに面する脚フレーム１０Ａ，１０Ａ，…の梁材載置面１３ａ上に架設され、ボルト等で固定されている（図１のＢ−Ｂ断面図である図５参照）。したがって、主幹通路用梁材４０の支持固定に際しては、特別のブラケットや受け梁などが一切不要であり、主幹通路用梁材４０を受けるための納まりを、一般通路Ｉとの取合部と重量装置類設置領域Ｇとの取合部とで異ならせる必要がなくなる。また、主幹通路Ｓに面する脚フレーム１０Ａの梁材支持部１３上で一般通路用梁材２０と主幹通路用梁材４０がともに同じ脚フレーム１０Ａにそれぞれ固定され交差部の仕口を形成するので、一般通路用梁材２０と主幹通路用梁材４０とを連結する必要がなく、図１のＣ−Ｃ断面図である図６にも示すように、主幹通路用梁材４０はそのまま重量装置類設置領域Ｇにも連続しているので、主幹通路用床板５０のための支持部材を別途設ける必要がない。
【００２９】
また、図５に示すように、主幹通路用梁材４０の高さは一般通路用梁材２０の高さよりも主幹通路用床板５０の厚み分だけ小さくなっているので、主幹通路用床板５０，５０，…の上面と一般通路用床板３０，３０，…の上面（及び一般通路用梁材２０の上面）とが等しくなり（図４参照）、室全体にフラットな床面が形成されるとともに、主幹通路用梁材４０が床面に露出しなくなって（図４乃至図６参照）歩行時の違和感もなく、床面の見映えがよくなっている。
【００３０】
また、図５に示すように、主幹通路用梁材４０の上面には長手方向に連続する溝４１が形成されている。この溝４１には、一般通路用梁材２０と交差する範囲にわたり（一般通路用梁材２０の幅内にわたり）、弾性を有する成形弾性ゴムからなる第二の位置決め部材４２が嵌め込まれている。この第二の位置決め部材４２は接着剤等で主幹通路用梁材４０の上面に取り付けるようにしてもよいが、主幹通路用梁材４０が押出形材であることを生かして全長にわたる溝４１を形成し、ここに第二の位置決め部材４２を予め嵌め込んでおくことにより、第二の位置決め部材４２を取り付ける手間が省ける。なお、この第二の位置決め部材４２は、重量装置類設置領域Ｇとの取合部の全範囲にわたって溝４１内に嵌め込まれていてもよいし、主幹通路用梁材４０の全長にわたって溝４１内に嵌め込まれていてもよい。
【００３１】
主幹通路用床板５０はアルミニウム合金の押出形材で形成され、軽量で施工しやすいものとなっている。主幹通路用床板５０の両小口部（長手方向の両端部）には樹脂等で形成された小口フタ５１が嵌め込まれている。そして図１に示すように、各主幹通路用床板５０の長手方向が主幹通路用梁材４０に直交するような向きで、主幹通路用梁材４０と空調機設置領域Ｋ側の梁材Ｋａとに複数枚の主幹通路用床板５０，５０，…が架設されて、主幹通路Ｓの通路面が形成されている。
【００３２】
以上のように構成された二重床構造では、主幹通路Ｓと一般通路Ｉとの取合部において、図４に示すように、主幹通路Ｓに面する一般通路用床板３０Ａの主幹通路Ｓ側の側面の溝３２に嵌めこまれた第一の位置決め部材３３が、当該一般通路用床板３０Ａとこれに直交する主幹通路用床板５０，５０，…との間に介在する。この第一の位置決め部材３３は主幹通路用床板５０，５０，…の施工時における位置決めの役割と施工完了後の主幹通路用床板５０，５０，…のずれ止めの役割を果たしており、これによって、主幹通路Ｓと一般通路Ｉとの取合部において、目地幅が一定に、かつ目地が一直線状に施工される。また、この第一の位置決め部材３３は、主幹通路Ｓと一般通路Ｉとの取合部において、一般通路用床板３０Ａと主幹通路用床板５０，５０，…との隙間を塞いでいるので、床下空間の調和空気が室内に漏れ出して空調効率が低下することがなく、また床下空間に物が落下して取れなくなってしまうような事態を防止できるようになっている。
【００３３】
また、図５に示すように、一般通路用梁材２０と交差する範囲にわたって主幹通路用梁材４０の上面に形成された溝４１に嵌め込まれている第二の位置決め部材４２が、主幹通路Ｓと重量装置類設置領域Ｇとの取合部において、主幹通路用床板５０と一般通路用梁材２０との間に介在する。この第二の位置決め部材４２は主幹通路用床板５０の施工時における位置決めの役割を果たしており、これによって、主幹通路Ｓと重量装置類設置領域Ｇとの取合部において、目地幅が一定に、かつ目地が一直線状に施工される。また、この第二の位置決め部材４２は、主幹通路Ｓと重量装置類設置領域Ｇとの取合部において、通信機械等を収容したラックの足元に施す適宜の気密措置と相まって、床下空間から調和空気が漏れるのを防止する役割を果たすとともに、床下空間に物が落下して取れなくなってしまうような事態を防止する役割を果たすようにもなっている。
【００３４】
また、図５に示すように、一般通路用床板３０，３０，…を支持している一般通路用梁材２０と、これに直交し、主幹通路用床板５０を載せている主幹通路用梁材４０とがともに、主幹通路Ｓに面する脚フレーム１０Ａ上に共通して架設されている。したがって、主幹通路用梁材４０の支持固定に際して、特別のブラケットや受け梁などが一切不要となるので、部品点数の削減と施工手間の簡易化を通じて、コストを大幅に引き下げることができる。
【００３５】
さらに、同図に示すように、一般通路用梁材２０の主幹通路Ｓに面する端面２２は、主幹通路用梁材４０の側面及び主幹通路用床板５０の小口側の側面（小口フタ５１）に臨むように単純に一鉛直面状に形成されているので、主幹通路Ｓと取り合うための特別の仕口加工は必要ない。
【００３６】
以上、本発明の一実施形態を説明したが、本発明はこれに限定されることなく、発明の趣旨に応じた適宜の変更実施が可能であることはいうまでもない。たとえば、床架台たる脚フレーム１０，１０Ａについて、脚部１１と連結部１２とを別体に形成してボルト等で連結する構造としたり、脚部１１の本数を三本以上としたりする等、床架台の形状や構造は任意に定めることができる。また、たとえば第一の位置決め部材３３や第二の位置決め部材４２の材質を金属製やプラスチック製などとすることもできる。
【００３７】
【発明の効果】
以上のように、本発明に係る二重床構造によれば、主幹通路と一般通路及び重量装置類設置領域との取合部を簡易に納めることができる。また、互いに直交する床パネル間の目地を簡単に幅一定かつ一直線状に通して施工することができ、気密性もよくすることができる。
【図面の簡単な説明】
【図１】本発明に係る二重床構造の一実施形態を表す平面図である。
【図２】同一部破断斜視図である。
【図３】図２の床架台の斜視図である。
【図４】図１のＡ−Ａ断面図である。
【図５】同Ｂ−Ｂ断面図である。
【図６】同Ｃ−Ｃ断面図である。
【図７】同Ｄ−Ｄ断面図である。
【図８】従来の二重床構造を表す一部破断斜視図である。
【符号の説明】
１０，１０Ａ      …  脚フレーム
１１    …  脚部
１２    …  連結部
１３    …  梁材支持部
１３ａ  …  梁材載置面
１４    …  ベースプレート
１５    …  レベル調整ボルト
１８    …  開口部
２０    …  一般通路用梁材
２１    …  載置部
２２    …  端面
３０，３０Ａ    …  一般通路用床板
３２    …  溝
３３    …  第一の位置決め部材
４０    …  主幹通路用梁材
４１    …  溝
４２    …  第二の位置決め部材
５０    …  主幹通路用床板
５１    …  小口フタ
Ｓ      …  主幹通路
Ｉ      …  一般通路
Ｇ      …  重量装置類設置領域
Ｋ      …  空調機設置領域
Ｋａ    …  梁材
【図１】
2004278187.tif 000003
【図２】
2004278187.tif 000004
【図３】
2004278187.tif 000005
【図４】
2004278187.tif 000006
【図５】
2004278187.tif 000007
【図６】
2004278187.tif 000008
【図７】
2004278187.tif 000009
【図８】
2004278187.tif 000010